(57)【特許請求の範囲】
【請求項１】
複数配列された画素領域から映像光を出射する映像源と、
前記映像光を拡大して観察者側へ出射するレンズと、
前記映像源及び前記レンズ間、又は、前記レンズの観察者側に配置される樹脂製の光学シートとを備え、
前記光学シートは、屈折率が一様な光学層を少なくとも２層以上有し、隣接する光学層が互いに相違する屈折率であり、各前記光学層間の界面に凸形状が複数形成され、観察者側の面及び映像源側の面が平坦に形成され、前記映像源から入射した光を前記凸形状に形成された前記界面のみにより屈折させること、
を特徴とする表示装置。
【請求項２】
請求項１に記載の表示装置において、
前記凸形状は、前記光学シートの厚み方向に直交するシート面内の第１の方向に延在し、前記シート面内の前記第１の方向に直交する第２の方向に配列され、前記光学シートの厚み方向に平行であって前記第２の方向に平行な断面における断面形状が略円弧状に形成されていること、
を特徴とする表示装置。
【請求項３】
請求項２に記載の表示装置において、
前記凸形状の第１の方向は、観察者の鉛直方向又は水平方向に対して傾斜していること、
を特徴とする表示装置。
【請求項４】
請求項２又は請求項３に記載の表示装置において、
前記光学シートは、３層以上の光学層を有し、各前記光学層間の各界面に設けられた前記凸形状の前記シート面内における延在方向は、前記光学シートの厚み方向から見て交差していること、
を特徴とする表示装置。
【請求項５】
請求項２から請求項４までのいずれか１項に記載の表示装置において、
前記凸形状の前記断面における曲率半径をＲとし、前記凸形状の前記第２の方向における配列ピッチをＰとしたときに、
０．０５≦Ｐ／Ｒ≦１．０を満たすこと、
を特徴とする表示装置。
【請求項６】
複数配列された画素領域から映像光を出射する映像源と、
前記映像光を拡大して観察者側へ出射するレンズと、
前記映像源及び前記レンズ間、又は、前記レンズの観察者側に配置される光学シートとを備え、
前記光学シートは、３層以上の光学層を有し、各前記光学層間の各界面に凸形状が複数形成され、観察者側の面及び映像源側の面が平坦に形成され、前記映像源から入射した光を前記凸形状により屈折させ、
前記凸形状は、前記光学シートの厚み方向に直交するシート面内の第１の方向に延在し、前記シート面内の前記第１の方向に直交する第２の方向に配列され、
各前記光学層間の各界面に設けられた前記凸形状の前記シート面内における延在方向は、前記光学シートの厚み方向から見て交差していること、
を特徴とする表示装置。
【請求項７】
請求項１から請求項６までのいずれか１項に記載の表示装置において、
互いに隣接する前記光学層の屈折率の差Δｎが、０．００５≦Δｎ≦０．１を満たすこと、
を特徴とする表示装置。
【発明の詳細な説明】
【技術分野】
【０００１】
本発明は、観察者に映像光を表示する表示装置に関するものである。
【背景技術】
【０００２】
従来、ＬＣＤ（Ｌｉｑｕｉｄ  Ｃｒｙｓｔａｌ  Ｄｉｓｐｌａｙ）や有機ＥＬディスプレイ等の映像源による映像を、光学系を介して観察者に観察させる頭部装着型の表示装置、いわゆるヘッドマウントディスプレイ（ＨＭＤ）が提案されている（例えば、特許文献１）。このような頭部装着型の表示装置は、レンズ等の光学系によって映像源から投射される映像光を拡大して鮮明な映像を観察者側に表示している。
ここで、このような表示装置に用いられる映像源は、映像を構成する複数の画素領域と、各画素領域間に設けられ、映像の表示に寄与しない非画素領域とが設けられている。このような映像源から出射された映像光をレンズにより拡大した場合、画素領域により構成される映像だけでなく、非画素領域が起因となる非映像領域も拡大されてしまうこととなり、映像だけでなく非映像領域も観察者に視認されてしまう場合があり、鮮明な映像の表示の妨げとなる場合があった。
【先行技術文献】
【特許文献】
【０００３】
【特許文献１】特表２０１１−５０９４１７号公報
【発明の概要】
【発明が解決しようとする課題】
【０００４】
本発明の課題は、映像源の画素間に存在する非画素領域が起因となる非映像領域が視認されてしまうのを抑制することができる表示装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
第１の発明は、複数配列された画素領域から映像光（Ｌ）を出射する映像源（１１）と、前記映像光を拡大して観察者側へ出射するレンズ（１２）と、前記映像源及び前記レンズ間、又は、前記レンズの観察者側に配置される光学シート（２０）とを備え、前記光学シートは、少なくとも２層以上の光学層（２１、２２、２３）を有し、各光学層間の界面に凸形状（２１ａ、２３ａ）が複数形成され、観察者側の面及び映像源側の面が平坦に形成され、前記映像源から入射した光を前記凸形状により屈折させること、を特徴とする表示装置（１）である。
第２の発明は、第１の発明の表示装置（１）において、前記凸形状（２１ａ、２３ａ）は、前記光学シート（２０）の厚み方向（Ｙ方向）に直交するシート面（ＸＺ面）内の第１の方向（Ｚ方向、Ｘ方向）に延在し、前記シート面内の前記第１の方向に直交する第２の方向（Ｘ方向、Ｚ方向）に配列され、前記光学シートの厚み方向に平行であって前記第２の方向に平行な断面における断面形状が略円弧状に形成されていること、を特徴とする表示装置である。
第３の発明は、第２の発明の表示装置において、前記凸形状（２１ａ、２３ａ）の第１の方向は、観察者の鉛直方向又は水平方向に対して傾斜していること、を特徴とする表示装置である。
第４の発明は、第２の発明又は第３の発明の表示装置（１）において、前記光学シート（２０）は、３層以上の光学層を有し、各前記光学層間の各界面に設けられた前記凸形状（２１ａ、２３ａ）の前記シート面（ＸＺ面）内における延在方向（Ｚ方向、Ｘ方向）は、前記光学シートの厚み方向（Ｙ方向）から見て交差していること、を特徴とする表示装置である。
第５の発明は、第２の発明から第４の発明までのいずれかの表示装置（１）において、前記凸形状（２１ａ、２３ａ）の前記断面における曲率半径をＲとし、前記凸形状の前記第２の方向における配列ピッチをＰとしたときに、０．０５≦Ｐ／Ｒ≦１．０を満たすこと、を特徴とする表示装置である。
第６の発明は、第１の発明から第５の発明までのいずれかの表示装置（１）において、互いに隣接する前記光学層の屈折率の差Δｎが、０．００５≦Δｎ≦０．１を満たすこと、を特徴とする表示装置である。
【発明の効果】
【０００６】
本発明によれば、映像源の画素間に存在する非画素領域が起因となる非映像領域が視認されてしまうのを抑制することができる。
【図面の簡単な説明】
【０００７】
【図１】実施形態の頭部装着型の表示装置の構成を説明する図である。
【図２】実施形態の表示装置に用いられる光学シートの詳細を説明する図である。
【図３】実施形態の表示装置に用いられる光学シートの輝度と視野角の関係を示す図である。
【図４】実施形態の表示装置によって表示された画像の例を示す図である。
【図５】比較例の表示装置の構成等を説明する図である。
【図６】表示装置に用いられる光学シートの変形形態を説明する図である。
【発明を実施するための形態】
【０００８】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【０００９】
（実施形態）
図１は、本実施形態の頭部装着型の表示装置１を説明する図である。図１は、表示装置１を鉛直方向上側から見た図である。
図２は、実施形態の表示装置に用いられる光学シートの詳細を説明する図である。図２（ａ）は、光学シートの水平面に平行な断面における断面図であり、図２（ｂ）は、図２（ａ）のｂ部断面図である。図２（ｃ）は、図２（ａ）のｃ部詳細を示す図であり、図２（ｄ）は、図２（ｂ）のｄ部詳細を示す図である。
図３は、実施形態の表示装置に用いられる光学シートの輝度と視野角の関係を示す図である。
図４は、実施形態の表示装置によって表示された画像の例を示す図である。
図５は、比較例の表示装置を説明する図である。図５（ａ）は、比較例の表示装置の構成を説明する図であり、図１に対応する図である。図５（ｂ）は、比較例の表示装置によって表示された画像の例を示す図である。
【００１０】
なお、図１を含め以下に示す図中及び以下の説明において、理解を容易にするために、観察者が頭部に表示装置１を装着した状態において、鉛直方向をＺ方向とし、水平方向をＸ方向及びＹ方向とする。また、この水平方向のうち、光学シートの厚み方向をＹ方向とし、その厚み方向に直交する左右方向をＸ方向とする。このＹ方向の−Ｙ側を観察者側とし、＋Ｙ側を背面側とする。
【００１１】
表示装置１は、観察者が頭部に装着し、観察者の眼前に映像を表示する、いわゆるヘッドマウントディスプレイ（ＨＭＤ）である。図１に示すように、本実施形態の頭部装着型の表示装置１は、不図示のメガネフレームの内側に、映像源１１と、レンズ１２と、光学シート２０とを備えており、観察者がメガネフレームを頭部に装着することによって、映像源１１に表示された映像光を光学シート２０、レンズ１２を介して観察者の眼Ｅに視認させることができる。なお、図１において、表示装置１は、観察者の片側の眼Ｅに対して配置される例で説明するが、これに限定されるものでなく、観察者の両方の眼のそれぞれに配置されるようにしてもよい。
映像源１１は、映像光を表示するマイクロディスプレイであり、例えば、透過型の液晶表示デバイスや、反射型の液晶表示デバイス、有機ＥＬ等を使用することができる。本実施形態の映像源１１は、例えば、対角が５インチの有機ＥＬディスプレイが使用される。
レンズ１２は、映像源１１から出射された映像光を拡大して観察者側に出射する凸レンズであり、本実施形態では、表示装置１の最も観察者側（−Ｙ側）に配置されている。
【００１２】
光学シート２０は、図１に示すように、映像源１１及びレンズ１２間であって、レンズ１２に近接する位置に配置されており、映像源１１から出射した映像光を微少に拡散する拡散機能を有した光透過性のあるシートである。
ここで、従来、主に使用されている頭部装着型の表示装置（以下、比較例の表示装置という）は、図５（ａ）に示すように、上述の光学シートを備えていない形態であり、映像源から出射された映像光をレンズにより拡大して観察者側に表示していた。ここで、映像源に用いられる有機ＥＬ等のディスプレイは、その表示部に映像を形成する画素領域が複数配列されており、また、各画素領域間には映像の形成に寄与しない非画素領域が設けられている。そのため、映像源から出射する映像光は、レンズを介して拡大された場合に、図５（ｂ）に示すように、画素領域による映像だけでなく、非画素領域が起因となる非映像領域も拡大されてしまうこととなり、映像だけでなく、その非映像領域も観察者に視認され、鮮明な映像表示の妨げとなってしまう場合があった。
そこで、本実施形態の表示装置１には、上述したように、光学シート２０が設けられており、映像源１１から出射した映像光を微少に拡散させ、図４に示すように、その拡散された映像光によって、非画素領域が起因となる非映像領域が観察者に視認されてしまうのを抑制することができる。
【００１３】
光学シート２０は、図２に示すように、背面側（＋Ｙ側）から順に、第１光学層２１、第２光学層２２、第３光学層２３が積層されている。光学シート２０は、この第１光学層２１及び第２光学層２２の界面と、第２光学層２２及び第３光学層２３の界面とに、それぞれ凸形状２１ａ、凸形状２３ａが複数形成されている。
第１光学層２１は、光学シート２０の最も背面側（＋Ｙ側）に位置する光透過性を有する層であり、その背面側の面は、映像源１１から出射された映像光が入射する面であり、略平坦に形成されている。第１光学層２１の観察者側（−Ｙ側）の面には、図２（ａ）に示すように、凸形状２１ａが複数形成されている。この凸形状２１ａは、第１光学層２１の観察者側の面に沿うようにして、鉛直方向（Ｚ方向）に延在し、左右方向（Ｘ方向）に複数配列されており、左右方向及び厚み方向に平行な面（ＸＹ面）における断面形状が略円弧状に形成されたレンチキュラーレンズ形状である。ここで、略円弧状とは、真円の円弧だけでなく、楕円や長円等の一部を含む曲線状の形状を含むものをいう。
【００１４】
第３光学層２３は、光学シート２０の最も観察者側（−Ｙ側）に位置する光透過性を有する層であり、その観察者側の面は、光学シート２０を透過した映像光が出射する面であり、略平坦に形成されている。第３光学層２３の背面側（＋Ｙ側）の面は、図２（ｂ）に示すように、凸形状２３ａが複数形成されている。この凸形状２３ａは、第３光学層２３の背面側の面に沿うようにして、左右方向（Ｘ方向）に延在し、鉛直方向（Ｚ方向）に複数配列されており、鉛直方向及び厚み方向に平行な面（ＹＺ面）における断面形状が略円弧状に形成されたレンチキュラーレンズ形状である。
すなわち、第３光学層２３に設けられた凸形状２３ａは、その延在方向（Ｘ方向）が、上述の第１光学層２１に設けられた凸形状２１ａの延在方向（Ｚ方向）と交差（直交）している。
第２光学層２２は、第１光学層２１及び第３光学層２３間に設けられた光透過性を有する層であり、第１光学層２１の凸形状２１ａ側の面と、第３光学層２３の凸形状２３ａ側の面とが互いに対向するようにして配置されている。
【００１５】
本実施形態の光学シート２０は、その半値角αが、０．０５°≦α≦０．２°を満たし、最大輝度が１／２０となる視野角βが、β≦５×αを満たすようにして形成されている。ここで、光学シート２０の半値角αとは、図３に示すように、光の輝度が最大値となる光学シート２０のシート面の観察位置から、画面左右方向及び画面上下方向において、光の輝度が最大値の半分の値になる観察角度をいう。また、視野角βは、光の輝度が最大値となる光学シート２０のシート面の観察位置から、画面左右方向及び画面上下方向において、光の輝度が最大値の１／２０の値になる観察角度をいう。
また、本実施形態の光学シート２０は、互いに隣接する各層の屈折率差、すなわち第１光学層２１及び第２光学層２２の屈折率差Δｎ１と、第２光学層２２及び第３光学層２３の屈折率差Δｎ２とが、それぞれ０．００５≦Δｎ１≦０．１、０．００５≦Δｎ２≦０．１を満たすようにして形成されている。
【００１６】
このように、光学シート２０の半値角α及び視野角βの値の範囲と、互いに隣接する層の屈折率差（Δｎ１、Δｎ２）の範囲とを規定することによって、本実施形態の表示装置１は、映像源１１から出射した映像光を鉛直方向や左右方向に微少に拡散することができる。これにより、表示装置１は、観察者側に鮮明な映像を表示するとともに、映像光の微少な拡散によって映像源１１の非画素領域が起因となる非映像領域が目立ってしまうのを抑制することができる。
上述の効果をより効果的に奏する観点から、光学シート２０の視野角βは、半値角αに等しいか、それに近い値であることがより望ましい。
【００１７】
仮に、半値角αが０．０５°未満である場合、光学シートによる光の拡散される範囲が狭くなりすぎてしまい、非画素領域が起因となる非映像領域を目立たなくすることができなくなるので望ましくない。また、半値角αが０．２°よりも大きい場合、映像光の拡散される範囲が広くなりすぎてしまい、映像の鮮明さが低下してしまうので望ましくない。
また、仮に、視野角βが５×αよりも大きい場合、輝度の低い映像光の拡散される範囲が広くなりすぎてしまい、映像の鮮明さが低下してしまうので望ましくない。
更に、互いに隣接する層の屈折率差（Δｎ１、Δｎ２）が０．００５未満である場合、各層間の屈折率差が小さくなりすぎてしまい、各層間における映像光の屈折が生じ難くなってしまい、十分な拡散作用が発揮されなくなるため望ましくない。また、互いに隣接する層の屈折率差（Δｎ１、Δｎ２）が０．１よりも大きい場合、各層間における光の屈折が大きくなりすぎてしまい、光学シートを透過する映像光が不鮮明になってしまうので望ましくない。
【００１８】
第１光学層２１及び第３光学層２３は、それぞれ、光透過性の高いＰＣ（ポリカーボネート）樹脂、ＭＳ（メチルメタクリレート・スチレン）樹脂、アクリル系樹脂等から形成されており、本実施形態では、第１光学層２１及び第３光学層２３はともに同じ材料で形成され、同じ屈折率を有している。
また、第２光学層２２は、光透過性の高いウレタンアクリレート樹脂や、エポキシアクリレート樹脂等の紫外線硬化型樹脂等から形成されており、本実施形態では、第１光学層２１及び第３光学層２３の屈折率よりも低い屈折率で形成されている。
また、凸形状２１ａのＸＹ断面における断面形状が円弧状に形成されている場合、図２（ｃ）に示すように、第１光学層２１に形成される凸形状２１ａの左右方向（Ｘ方向）における配列ピッチをＰ１とし、凸形状２１ａのＸＹ断面における円弧状の断面形状の曲率半径をＲ１としたときに、凸形状２１ａは、０．０５≦Ｐ１／Ｒ１≦１．０の範囲で形成されるのが望ましい。
また同様に、凸形状２３ａのＹＺ断面における断面形状が円弧状に形成されている場合、図２（ｄ）に示すように、第３光学層２３に形成される凸形状２３ａの鉛直方向（Ｚ方向）における配列ピッチをＰ２とし、凸形状２３ａのＹＺ断面における円弧状の断面形状の曲率半径をＲ２としたときに、凸形状２３ａは、０．０５≦Ｐ２／Ｒ２≦１．０の範囲で形成されるのが望ましい。
【００１９】
このように凸形状２１ａ及び凸形状２３ａの配列ピッチ及び曲率半径を上述の範囲で形成することによって、表示装置１は、映像源１１から出射された映像光を効率よく均等に上下方向及び左右方向に微少に拡散させることができる。
なお、本実施形態の光学シート２０は、凸形状２１ａ及び凸形状２３ａが互いに同じ形状、すなわちＰ１＝Ｐ２、Ｒ１＝Ｒ２となるように形成されている。
【００２０】
次に、映像源１１から出射された映像光Ｌが観察者の眼Ｅに届くまでの動作について説明する。
図１に示すように、映像源１１から出射した映像光Ｌは、光学シート２０の背面側（＋Ｙ側）の面に入射する。そして、光学シート２０に入射した映像光Ｌは、第１光学層２１を透過して、第１光学層２１及び第２光学層２２との界面の凸形状２１ａによって、左右方向（Ｘ方向）に微少に拡散して第２光学層２２内を透過する。
第２光学層２２を透過した映像光Ｌは、第２光学層２２及び最３光学層２３との界面に形成された凸形状２３ａによって、鉛直方向（Ｚ方向）に微少に拡散し、第３光学層２３を透過して光学シート２０の観察者側（−Ｙ側）の面から出射する。
続いて、光学シート２０の観察者側の面から出射した映像光Ｌは、レンズ１２へ入射して観察者の眼Ｅへ向けて出射する。ここで、映像源１１から出射された映像光Ｌは、光学シート２０により左右方向及び鉛直方向に微少に拡散させられる。そのため、映像光Ｌは、レンズ１２により拡大されたとしても、観察者の眼Ｅによって視認される画像には、図４に示すように、上述の比較例の表示装置の場合に比して（図５（ｂ）参照）、映像源１１の非画素領域が起因となる非映像領域が目立ってしまうのを極力抑制することができ、鮮明な映像を表示することができる。
【００２１】
次に、本実施形態の表示装置１に用いられる光学シート２０の製造方法について説明する。
上述したように、光学シート２０の第１光学層２１及び第３光学層２３に設けられた各凸形状２１ａ、凸形状２３ａは、互いに同じ形状に形成されているため、まず、この凸形状に対応する凹形状が設けられた金型を使用して、凸形状が形成されたシート状部材を押出成形法や、射出成形法等により形成する。
それから、凸形状が形成されたシート状部材を、所定の寸法に裁断して、第１光学層２１及び第３光学層２３を得る。このように、凸形状２１ａ及び凸形状２３ａが同形状に形成されている場合、１枚のシート状部材から第１光学層２１及び第３光学層２３を同時に切り出すことができ、光学シート２０の製造効率を向上させることができる。
続いて、第１光学層２１の凸形状２１ａ側の面上に、第２光学層２２を形成する樹脂を充填し、その樹脂と、第３光学層２３の凸形状２３ａ側の面とを貼り合わせて、第１光学層２１及び第３光学層２３間に所定の距離を設けた状態で樹脂を硬化させる。このとき、第１光学層２１及び第３光学層２３は、凸形状２１ａの延在方向と凸形状２３ａの延在方向とが互いに交差（直交）するようにして配置される。
以上により、第１光学層２１、第２光学層２２、第３光学層２３が順次積層された光学シート２０が完成する。
【００２２】
以上より、本実施形態の表示装置１は、少なくとも２層以上の層構成を有し、各層間の界面に微細な凸形状が複数形成された光学シート２０を備え、光学シート２０の互いに隣接する層の屈折率差Δｎ１、Δｎ２が、それぞれ０．００５≦Δｎ１≦０．１、０．００５≦Δｎ２≦０．１を満たし、半値角αが０．０５°≦α≦０．２°を満たし、最大輝度が１／２０となる光学シート２０の視野角βが、β≦５×αを満たすようにして形成されている。これにより、表示装置１は、映像源１１から出射した映像光を鉛直方向や左右方向に微少に拡散することができ、観察者側に鮮明な映像を表示するとともに、映像源１１の非画素領域が起因となる非映像領域が観察者に視認されてしまうのを抑制することができる。
【００２３】
また、本実施形態の表示装置１は、凸形状２１ａが、光学シート２０の厚み方向（Ｙ方向）に直交するシート面（ＸＺ面）内のＺ方向（第１の方向）に延在し、シート面内のＺ方向に直交するＸ方向（第２の方向）に配列され、光学シート２０の厚み方向に平行であってＸ方向（第２の方向）に平行な断面（ＸＹ面）における断面形状が略円弧状に形成されている。同様に、凸形状２３ａが、光学シート２０の厚み方向（Ｙ方向）に直交するシート面（ＸＺ面）内のＸ方向に延在し、シート面内のＸ方向に直交するＺ方向に配列され、光学シート２０の厚み方向に平行であってＺ方向に平行な断面（ＹＺ面）における断面形状が円弧状に形成されている。これにより、表示装置１は、凸形状を通過する映像光を効率よく均等に拡散させることができる。
【００２４】
更に、本実施形態の表示装置１は、光学シート２０が３層以上の層構成を有しており、各層間の各界面に設けられた凸形状２１ａ及び凸形状２３ａのシート面内における延在方向（Ｚ方向、Ｘ方向）が、光学シート２０の厚み方向から見て直交（交差）している。これにより、表示装置１は、映像源１１から出射した映像光を複数の方向（左右方向及び鉛直方向）に拡散させることができ、映像源１１の非画素領域が起因となる非映像領域をより効果的に目立たなくすることができる。
【００２５】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００２６】
（変形形態）
図６は、表示装置に用いられる光学シートの変形形態を説明する図である。
（１）上述の実施形態において、光学シート２０は、第１光学層２１、第２光学層２２、第３光学層２３の３層が順次、積層された層構成を有する例を示したが、これに限定されるものでない。例えば、光学シート２０は、図６に示すように、第１光学層及び第２光学層の２層が積層された構成を有してもよく、また、４層以上の層構成を有するようにしてもよい。
【００２７】
（２）上述の実施形態において、光学シート２０の各層の界面には、レンチキュラーレンズ形状が形成される例を示したが、これに限定されるものでない。例えば、図６に示すように、光学シート１２０を第１光学層１２１及び第２光学層１２２の２層構造とし、第１光学層１２１及び第２光学層１２２間に微細な凸形状がランダムに設けられるようにしてもよい。このようにしても、映像源から出射した映像光を光学シート１２０により微少に拡散することができ、表示装置は、映像源１１の非画素領域が起因となる非映像領域を目立たなくすることができる。また、この場合、上述の実施形態の表示装置に用いられる光学シートに比して、層構成を減らすことができ、光学シートを薄型化したり、軽量化したりすることが可能となる。
【００２８】
（３）上述の実施形態において、光学シート２０は、映像源１１及びレンズ１２間に配置される例を説明するが、これに限定されるものでなく、レンズ１２の観察者側（−Ｙ側）に配置されるようにしてもよい。このような形態としても、表示装置１は、映像源１１から出射した映像光をレンズ１２で拡大させた後に微小に拡散させるので、映像源１１の非画素領域が起因となる非映像領域を目立たなくして、映像を表示することができる。また、この場合、レンズの観察者側の面を光学シートにより覆うことができるので、光学シートによりレンズを保護することも可能である。
【００２９】
（４）上述の実施形態において、光学シート２０は、背面側に第１光学層２１が配置され、観察者側に第３光学層２３が配置される例を示したが、これに限定されるものでなく、第１光学層２１が観察者側に、第３光学層２３が背面側に配置されるようにしてもよい。
【００３０】
（５）上述の実施形態において、光学シート２０は、凸形状２１ａの延在方向が鉛直方向（Ｚ方向）であり、凸形状２３ａの延在方向が左右方向（Ｘ方向）であり、両者が直交する例を説明したが、これに限定されるものでない。例えば、光学シート２０の凸形状２１ａの延在方向が、左右方向に対して４５°傾斜した方向であり、凸形状２３ａの延在方向が、左右方向に対して−４５°に傾斜した方向であるようにしてもよく、映像源１１の画素の配列等に応じて、各凸形状の延在方向を適宜設定するようにしてもよい。
また、一方の凸形状の延在方向が、他方の凸形状の延在方向と直交以外の角度で交差するようにしてもよい。
【００３１】
（６）上述の実施形態において、光学シート２０は、第１光学層２１及び第３光学層２３の屈折率が、第２光学層２２の屈折率よりも高い例で説明したが、これに限定されるものでなく、例えば、第１光学層２１及び第３光学層２３の屈折率が、第２光学層２２の屈折率よりも低くなるようにしてもよい。
【００３２】
（７）上述の実施形態において、第２光学層２２は、紫外線硬化型樹脂により構成される層である例を示したが、これに限定されるものでなく、例えば、透過性のある粘着剤により構成され、第１光学層２１及び第３光学層２３を接合するようにしてもよい。この場合、第２光学層２２を構成する粘着剤の屈折率は、第１光学層２１及び第３光学層２３の屈折率に対して、屈折率差が０．００５以上、０．１以下の範囲で設定される必要がある。
【符号の説明】
【００３３】
１    表示装置
１１    映像源
１２    レンズ
２０    光学シート
２１    第１光学層
２１ａ    凸形状
２２    第２光学層
２３    第３光学層
２３ａ    凸形状
Ｅ    観察者の眼
【図１】
0006354896.tif 000002
【図２】
0006354896.tif 000003
【図３】
0006354896.tif 000004
【図４】
0006354896.tif 000005
【図５】
0006354896.tif 000006
【図６】
0006354896.tif 000007